(57)【要約】      （修正有）【課題】モバイルクラウドシステム、その動作方法、およびクラウドサーバを提供する。【解決手段】モバイルクラウドシステムは、少なくとも一つの機能モジュールを備え、モバイルクラウドプラットフォームが内蔵された複数のモバイル端末と、前記少なくとも一つの機能モジュールから得られた情報の伝達を受け、伝達された情報を処理するクラウドサーバ１３０と、複数のモバイル端末およびクラウドサーバ間のネットワークを提供する無線通信網と、を含む。クラウドサーバは、接続された複数のモバイル端末の全体に同一に反映されるサービスを提供するリードオンリーファイルシステム３１０と、接続された複数のモバイル端末の各々に独立したサービスを提供するリード／ライトファイルシステム３２０と、リードオンリーファイルシステムおよびリード／ライトファイルシステムの動作を制御する制御部と、を含む。【選択図】図４
2018195304.tif 000002
【特許請求の範囲】
【請求項１】
少なくとも一つの機能モジュールを備え、モバイルクラウドプラットフォームが内蔵された複数のモバイル端末と、
前記少なくとも一つの機能モジュールから得られた情報の伝達を受け、前記伝達された情報を処理するクラウドサーバと、
前記複数のモバイル端末および前記クラウドサーバ間のネットワークを提供する無線通信網と、
を含み、
前記クラウドサーバは、
接続された前記複数のモバイル端末の全体に同一に反映されるサービスを提供するリードオンリーファイルシステムと、
接続された前記複数のモバイル端末の各々に独立したサービスを提供するリード／ライトファイルシステムと、
前記リードオンリーファイルシステムおよび前記リード／ライトファイルシステムの動作を制御する制御部と、
を含むモバイルクラウドシステム。
【請求項２】
前記機能モジュールは、ディスプレイモジュール、オーディオモジュール、入力モジュール、カメラモジュールおよびＧＰＳ（Ｇｌｏｂａｌ  Ｐｏｓｉｔｉｏｎｉｎｇ  Ｓｙｓｔｅｍ）モジュールのいずれかである、請求項１に記載のモバイルクラウドシステム。
【請求項３】
前記モバイルクラウドプラットフォームは、
前記無線通信網への接続および前記クラウドサーバへの接続を実行し、クラウドサービスを提供するために前記モバイル端末および前記クラウドサーバ間に形成されたチャネルを維持および管理するネットワーク接続部と、
前記ネットワーク接続部を介して前記クラウドサーバと接続した後、前記クラウドサービスを前記モバイル端末に提供するクラウドサービス連動部と、
前記モバイル端末の認証情報を管理するセキュリティーおよび認証情報管理部と、
を含む、請求項１に記載のモバイルクラウドシステム。
【請求項４】
前記認証情報は、各モバイル端末を使用するユーザ別に割り当てられたＭＡＣ  ａｄｄｒｅｓｓ、ＣＰＵ  ＩＤ、およびＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）のうち少なくとも一つのハードウェア情報である、請求項３に記載のモバイルクラウドシステム。
【請求項５】
前記リードオンリーファイルシステムは、
前記接続されたモバイル端末の全体が同一に使用するアプリケーション、共用データベース、共用メモリ、ファームウェアおよびオペレーティングシステムを含む、請求項１に記載のモバイルクラウドシステム。
【請求項６】
前記リード／ライトファイルシステムは、
前記接続されたモバイル端末の各々が独立的に使用するアプリケーション、ユーザ別データベース、およびユーザ別メモリを含む、請求項１に記載のモバイルクラウドシステム。
【請求項７】
前記制御部は、前記接続されたモバイル端末における要求が前記リードオンリーファイルシステムで処理しなければならないことであるかまたはリード／ライトファイルシステムで処理しなければならないことであるかを判断し、該当のファイルシステムと接続させる役割をする、請求項１に記載のモバイルクラウドシステム。
【請求項８】
前記制御部は、前記接続されたモバイル端末から伝達される機能モジュールの信号を処理できるプロセッサを備える、請求項１に記載のモバイルクラウドシステム。
【請求項９】
モバイル端末のブートが行われ、
前記ブートが行われることを通じて前記モバイル端末がクラウドサービスの提供を受けることができるか否かの認証が行われ、
認証完了後、前記モバイル端末内に内蔵されたモバイルクラウドプラットフォームが駆動されてクラウドサービスが活性化され、
前記モバイル端末内に備えられた少なくとも一つの機能モジュールによって生成された信号が前記モバイルクラウドプラットフォームを介してクラウドサーバに伝達され、
前記伝達された機能モジュールの出力信号が前記クラウドサーバ内で処理されるモバイルクラウドシステムの動作方法。
【請求項１０】
前記機能モジュールの出力信号が共用サービス領域に該当する情報である場合、前記クラウドサーバのリードオンリーファイルシステム内の共用メモリに格納される、請求項９に記載のモバイルクラウドシステムの動作方法。
【請求項１１】
前記機能モジュールの出力信号が個人化サービス領域に該当する情報である場合、前記クラウドサーバのリード／ライトファイルシステム内のユーザ別メモリに格納される、請求項９に記載のモバイルクラウドシステムの動作方法。
【請求項１２】
前記認証は、前記クラウドサービスを要求する場合ごとに前記モバイル端末を使用するユーザ別に割り当てられたＭＡＣ  ａｄｄｒｅｓｓ、ＣＰＵ  ＩＤ、およびＩＭＥＩのいずれかのハードウェア情報を活用してハードウェアを割り当てる方式で行われる、請求項９に記載のモバイルクラウドシステムの動作方法。
【請求項１３】
ネットワークを提供する無線通信網を介して、少なくとも一つの機能モジュールを備え、モバイルクラウドプラットフォームが内蔵された複数のモバイル端末と接続され、
接続された前記複数のモバイル端末の全体に同一に反映されるサービスを提供するリードオンリーファイルシステムと、
接続された前記複数のモバイル端末の各々に独立したサービスを提供するリード／ライトファイルシステムと、
前記リードオンリーファイルシステムおよび前記リード／ライトファイルシステムの動作を制御する制御部と、
を含み、
前記少なくとも一つの機能モジュールから得られた情報の伝達を受け、前記伝達された情報を処理するクラウドサーバ。
【発明の詳細な説明】
【技術分野】
【０００１】
本発明の実施形態はクラウドシステムに関し、特にモバイルクラウドシステム、その動作方法、およびクラウドサーバに関する。
【背景技術】
【０００２】
クラウドコンピューティング（Ｃｌｏｕｄ  Ｃｏｍｐｕｔｉｎｇ）とは、インターネット上のサーバを介してデータ格納、ネットワーク、コンテンツ使用などのサービスを使用できるコンピューティング環境をいう。言い換えれば、情報がインターネット上のサーバに永久的に格納され、デスクトップ、タブレットコンピュータ、ノート型パソコンなどのようなクライアントには一時的に保管されるコンピューティング環境であって、ユーザの全ての情報をインターネット上のサーバに格納し、この情報を各種クライアント機器を介していつどこでも利用できる概念である。
【０００３】
従来のクラウドコンピューティングを用いたクラウドサービスは、デスクトップのような固定された端末を中心に提供されてきた。
【０００４】
しかし、最近、無線ネットワークに対する技術が高度化し、モバイル端末の性能が向上することによって、クラウドコンピューティングとモバイルを結合したモバイルクラウドコンピューティング技術に対する要求が増加している。
【発明の概要】
【発明が解決しようとする課題】
【０００５】
本発明の実施形態は、複数のモバイル端末および共通サービス領域であるリードオンリー（ｒｅａｄ  ｏｎｌｙ）ファイルシステムとユーザの個人サービス領域であるリード／ライト（ｒｅａｄ／ｗｒｉｔｅ）ファイルシステムとを含むクラウドサーバで構成されるモバイルクラウドシステムであって、前記モバイル端末の機能モジュールから得られた情報が前記クラウドサーバに伝達されて演算および格納されることによって、高セキュリティー性と高性能の実現が可能なモバイルクラウドシステム、その動作方法、およびクラウドサーバを提供することを目的とする。
【課題を解決するための手段】
【０００６】
前記目的を達成するために、本発明の実施形態によるモバイルクラウドシステムは、少なくとも一つの機能モジュールを備え、モバイルクラウドプラットフォームが内蔵された複数のモバイル端末と、前記少なくとも一つの機能モジュールから得られた情報の伝達を受け、前記伝達された情報を処理するクラウドサーバと、前記複数のモバイル端末および前記クラウドサーバ間のネットワークを提供する無線通信網と、を含み、前記クラウドサーバは、接続された前記複数のモバイル端末の全体に同一に反映されるサービスを提供するリードオンリーファイルシステムと、接続された前記複数のモバイル端末の各々に独立したサービスを提供するリード／ライトファイルシステムと、前記リードオンリーファイルシステムおよび前記リード／ライトファイルシステムの動作を制御する制御部と、を含む。
【０００７】
前記機能モジュールは、ディスプレイモジュール、オーディオモジュール、入力モジュール、カメラモジュールおよびＧＰＳ（Ｇｌｏｂａｌ  Ｐｏｓｉｔｉｏｎｉｎｇ  Ｓｙｓｔｅｍ）モジュールのいずれかである。
【０００８】
前記モバイルクラウドプラットフォームは、前記無線通信網への接続および前記クラウドサーバへの接続を実行し、クラウドサービスを提供するために前記モバイル端末および前記クラウドサーバ間に形成されたチャネルを維持および管理するネットワーク接続部と、前記ネットワーク接続部を介して前記クラウドサーバと接続した後、前記クラウドサービスを前記モバイル端末に提供するクラウドサービス連動部と、前記モバイル端末の認証情報を管理するセキュリティーおよび認証情報管理部と、を含む。
【０００９】
前記認証情報は、各モバイル端末を使用するユーザ別に割り当てられたＭＡＣ  ａｄｄｒｅｓｓ、ＣＰＵ  ＩＤ、およびＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）のうち少なくとも一つのハードウェア情報である。
【００１０】
前記リードオンリーファイルシステムは、前記接続されたモバイル端末の全体が同一に使用するアプリケーション、共用データベース、共用メモリ、ファームウェ、アおよびオペレーティングシステムを含む。
【００１１】
前記リード／ライトファイルシステムは、前記接続されたモバイル端末の各々が独立的に使用するアプリケーション、ユーザ別データベース、およびユーザ別メモリを含む。
【００１２】
前記制御部は、前記接続されたモバイル端末における要求が前記リードオンリーファイルシステムで処理しなければならないことであるかまたはリード／ライトファイルシステムで処理しなければならないことであるかを判断し、該当のファイルシステムと接続させる役割をする。
【００１３】
前記制御部は、前記接続されたモバイル端末から伝達される機能モジュールの信号を処理できるプロセッサを備える。
【００１４】
また、本発明の実施形態によるモバイルクラウドシステムの動作方法は、モバイル端末のブートが行われ、前記ブートが行われることを通じて前記モバイル端末がクラウドサービスの提供を受けることができるか否かの認証が行われ、認証完了後、前記モバイル端末内に内蔵されたモバイルクラウドプラットフォームが駆動されてクラウドサービスが活性化され、前記モバイル端末内に備えられた少なくとも一つの機能モジュールによって生成された信号が前記モバイルクラウドプラットフォームを介してクラウドサーバに伝達され、前記伝達された機能モジュールの出力信号が前記クラウドサーバ内で処理される。
【００１５】
前記機能モジュールの出力信号が共用サービス領域に該当する情報である場合、前記クラウドサーバのリードオンリーファイルシステム内の共用メモリに格納される。
【００１６】
前記機能モジュールの出力信号が個人化サービス領域に該当する情報である場合、前記クラウドサーバのリード／ライトファイルシステム内のユーザ別メモリに格納される。
【００１７】
前記認証は、前記クラウドサービスを要求する場合ごとに前記モバイル端末を使用するユーザ別に割り当てられたＭＡＣ  ａｄｄｒｅｓｓ、ＣＰＵ  ＩＤ、ＩＭＥＩのハードウェア情報を活用してハードウェアを割り当てる方式で行われる。
【発明の効果】
【００１８】
このような本発明の実施形態によれば、モバイル端末が最小限の機能モジュールだけで構成されてもクラウドサーバを介して高性能／高品質のサービスを使用することができ、クラウドサーバ内で演算と格納などの動作が行われるので高セキュリティー性を維持することができる。
【図面の簡単な説明】
【００１９】
【図１】本発明の実施形態によるモバイルクラウドシステムの概略的な構成ブロック図である。
【図２】図１に示されたモバイル端末の構成の一実施形態を示すブロック図である。
【図３】図２に示されたモバイルクラウドプラットフォームの構成の一実施形態を示すブロック図である。
【図４】図１に示されたクラウドサーバの構成の一実施形態を示すブロック図である。
【図５】本発明の実施形態によるモバイルクラウドシステムの動作方法を示すフローチャートである。
【発明を実施するための形態】
【００２０】
上記発明の背景となる技術欄に記載された内容は単に本発明の技術的思想に関する背景技術の理解を助けるためのものであって、本発明の技術分野の当業者に知られた先行技術に該当する内容として理解されてはならない。
【００２１】
下記の記載において、説明の目的で、様々な実施形態の理解を助けるために多くの具体的な詳しい内容が提示される。しかし、様々な実施形態がこのような具体的な詳しい内容無しでまたは一つ以上の同等な方式で実施できるということは明らかである。他の例示において、周知の構造と装置は様々な実施形態を不要に理解し難くすることを避けるためにブロック図で表示される。
【００２２】
図面において、レイヤ、フィルム、パネル、領域などのサイズまたは相対的なサイズは明らかな説明のために誇張されてもよい。また、同一の参照番号は同一の構成要素を示す。
【００２３】
明細書の全体にかけて、ある素子またはレイヤが他の素子またはレイヤと「接続されている」とする場合、これは、直接的に接続されている場合だけでなく、その中間に他の素子やレイヤを介在させて間接的に接続されている場合も含む。しかし、仮にある部分が他の部分と「直接的に接続されている」とする場合、これは該当部分と他部分との間に他の素子がないことを意味する。「Ｘ、Ｙ、およびＺのうち少なくともいずれか一つ」、そして「Ｘ、Ｙ、およびＺからなる群より選択された少なくともいずれか一つ」は、一つのＸ、一つのＹ、一つのＺ、またはＸ、Ｙ、およびＺのうちの二つまたはそれ以上のある組み合わせ（例えば、ＸＹＺ、ＸＹＹ、ＹＺ、ＺＺ）として理解することができる。ここで、「および／または」は該当構成のうちの一つまたはそれ以上の全ての組み合わせを含む。
【００２４】
ここで、第１、第２などのような用語が様々な素子、要素、地域、レイヤ、および／またはセクションを説明するために用いられるが、これらの素子、要素、地域、レイヤ、および／またはセクションは、このような用語に限定されるものではない。このような用語は、一つの素子、要素、地域、レイヤ、および／またはセクションを他の素子、要素、地域、レイヤ、および／またはセクションと区別するために用いられる。よって、一実施形態における第１素子、要素、地域、レイヤ、および／またはセクションは、他の実施形態における第２素子、要素、地域、レイヤ、および／またはセクションと称してもよい。
【００２５】
「下方」、「上方」などのような空間的に相対的な用語が説明の目的で用いられることができ、そのようにすることによって図面に図示されたとおりに一つの素子または特徴と他の素子または特徴との関係を説明する。これは図面上で一つの構成要素の他の構成要素に対する関係を示すのに用いられるだけであって、絶対的な位置を意味するものではない。例えば、図面に示された装置がひっくり返れば、他の素子または特徴の「下方」に位置するものとして描写された素子は、他の素子または特徴の「上方」の方向に位置することになる。よって、一実施形態において、「下方」という用語は上方と下方の両方向を含むことができる。それだけでなく、装置はその他の異なる方向であってもよい（例えば、９０度回転したあるいは他の方向から）。そして、ここで用いられるそのような空間的に相対的な用語はそれに従って解釈される。
【００２６】
ここで用いられた用語は特定の実施形態を説明するための目的であって制限するための目的ではない。明細書の全体にかけて、ある部分がある構成要素を「含む」とする場合、これは、特に反対の記載がない限り、他の構成要素を除くものではなく、他の構成要素をさらに含んでもよいことを意味する。他の定義がない限り、ここで用いられた用語は本発明が属する分野で通常の知識を有する者に一般的に理解されるものと同様な意味を有する。
【００２７】
以下、添付図面を参照して本発明の実施形態についてより詳細に説明する。
【００２８】
図１は、本発明の実施形態によるモバイルクラウドシステムの概略的な構成ブロック図である。
【００２９】
図１を参照すれば、本発明の実施形態によるモバイルクラウドシステム１００は、モバイル端末１１０、無線通信網１２０およびクラウドサーバ１３０を含む。
【００３０】
モバイル端末１１０は無線通信網１２０を介してデータ通信を行うことができるモバイル端末１１０＿１、１１０＿２、…、１１０＿ｎであり、それぞれのモバイル端末１１０＿１、１１０＿２、…、１１０＿ｎはモバイルクラウドプラットフォームを内蔵し、それを介してクラウドサーバ１３０に接続してクラウドサーバのアプリケーション、ストレージ、オペレーティングシステム（ＯＳ）、ファームウェアなどを利用することができる。
【００３１】
既存のスマートフォン、タブレットフォンなどのような一般的なモバイル端末は、一つの物理的機器内に中央処理処置（ＣＰＵ）、格納装置および様々な機能モジュール（例えば、カメラ、ＧＰＳ、マイクなど）が全て含まれて構成される。
【００３２】
それに対し、本発明の実施形態によるモバイル端末１１０は、前記既存のモバイル端末とは異なり、中央処理処置（ＣＰＵ）、格納装置などといった大容量および高費用が発生する素子を除去し、前記機能モジュールおよびモバイルクラウドプラットフォームを駆動できる基本的なプロセッサおよびストレージのみを含んで構成されることができる。
【００３３】
このような構成により、ユーザがモバイル端末１１０の機能モジュールを用いて生成された情報が端末そのもの内で処理されるのではなく、前記クラウドサーバに伝達されて演算および格納されることによって、高セキュリティー性と高性能の実現が可能である。言い換えれば、モバイル端末に含まれる機能モジュールから得られた情報がクラウドサーバに伝達（例えば、ｒｅｄｉｒｅｃｔｉｏｎ）され、演算を行う構成（例えば、ＣＰＵ、ＧＰＵ、ＲＡＭなど）はクラウドサーバ１３０に位置した高性能ハードウェアで実現することによって、低い仕様のモバイル端末を使用しても高セキュリティー性と高性能の実現が可能である。
【００３４】
前記モバイル端末１１０の具体的な構成および動作については、図２、図３および図５に基づいてより詳細に説明する。
【００３５】
無線通信網１２０は、移動通信網または無線ＬＡＮ網などとして、モバイル端末１１０の種類に応じて様々なネットワーク環境を提供することができる。
【００３６】
クラウドサーバ１３０は、前記複数のモバイル端末１１０＿１、１１０＿２、…、１１０＿ｎと接続されてクラウドサービスを提供する主体であり、前記モバイル端末１１０の接続が検知および認証されると、認証されたモバイル端末１１０が要求したクラウドサービスを提供する。この場合、前記クラウドサーバ１３０は、少なくとも一つのサーバ装置で構成されることができる。
【００３７】
本発明の実施形態によるクラウドサーバ１３０は、共通サービス領域であるリードオンリー（ｒｅａｄ  ｏｎｌｙ）ファイルシステムおよびユーザの個人サービス領域であるリード／ライト（ｒｅａｄ／ｗｒｉｔｅ）ファイルシステムを含んで構成され、前記モバイル端末の機能モジュールから得られた情報を演算および格納する役割をすることができる。
【００３８】
前記クラウドサーバ１３０の具体的な構成および動作については、図４および図５に基づいてより詳細に説明する。
【００３９】
図２は、図１に示されたモバイル端末の構成の一実施形態を示すブロック図である。
【００４０】
図２を参照すれば、本発明の実施形態によるモバイル端末１１０＿ｎは、複数の機能モジュール１１１、１１３、１１５、１１７、１１９およびモバイルクラウドプラットフォーム２００を含んで構成されることができる。
【００４１】
図２に示された実施形態においては、前記複数の機能モジュールがディスプレイモジュール１１１、オーディオモジュール１１３、入力モジュール１１５、カメラモジュール１１７、ＧＰＳモジュール１１９で構成されるものとして説明しているが、これは一実施形態に過ぎず、本発明の構成がこれに限定されるものではない。したがって、前記モバイル端末１１０＿ｎは、前記機能モジュール１１１、１１３、１１５、１１７、１１９のうち一部のみを含むか、またはこれら以外の他の機能を実行するモジュールをさらに含んでもよい。
【００４２】
前記ディスプレイモジュール１１１は、ユーザに目に見える表示を提供するための任意の適切なスクリーンまたは映写システムを含むことができる。例えば、ディスプレイモジュール１１１は、モバイル端末１１０＿ｎに含まれるスクリーン（例えば、ＬＣＤスクリーン）を含むことができる。
【００４３】
前記オーディオモジュール１１３は、ユーザにオーディオを提供するための任意の適切なオーディオコンポーネント（ａｕｄｉｏ  ｃｏｍｐｏｎｅｎｔ）を含むことができる。一例として、オーディオモジュール１１３は、スピーカーおよび／またはマイクを含むことができる。
【００４４】
前記入力モジュール１１５は、ユーザの入力または命令を与えるユーザインターフェースであってもよい。一例として、入力モジュール１１５は、ボタン、キーボード、ダイヤル、クリックホイールまたはタッチスクリーンなどとして実現されることができる。
【００４５】
前記カメラモジュール１１７は、停止イメージおよびビデオイメージをとらえたり機能を修正したりする機能、送信および共有などのためのコミュニケーション情報の相互運用、写真／ビデオなどを含むカメラ装置として実現されることができる。
【００４６】
前記ＧＰＳモジュール１１９は、ＧＰＳ衛星から送る信号を受信してユーザの現在位置を計算できるモジュールである。本発明の実施形態によるモバイル端末１１０＿ｎは、ＧＰＳモジュール１１９を備えることによって、より正確な位置情報サービス（ＬＢＳ）の提供を受けることができる。
【００４７】
このような機能モジュール１１１、１１３、１１５、１１７、１１９は、ユーザが携帯しているモバイル端末を介して直接活用し、活用と同時に各機能モジュールを介して所定の情報が得られる。
【００４８】
一例として、ユーザがカメラモジュール１１７を用いて動画を撮影すれば、カメラモジュールは前記撮影された動画に対応する信号を生成する。また、ユーザがモバイル端末を持って移動すれば、ＧＰＳモジュール１１９はユーザの現在位置に対応する信号を生成する。
【００４９】
前述したように、従来のモバイル端末は機能モジュールから生成された信号を処理するためにその内部に高性能の中央処理処置（ＣＰＵ）、格納装置を含まなければならないが、この場合、ユーザの側面で多くの費用が発生し、モバイル端末の紛失時にセキュリティーの側面で多くの問題に露出される。
【００５０】
その反面、本発明の実施形態によるモバイル端末１１０＿ｎは、前記既存のモバイル端末とは異なり、中央処理処置（ＣＰＵ）、格納装置などといった大容量および高費用が発生する素子らを除去し、前記機能モジュール１１１、１１３、１１５、１１７、１１９およびモバイルクラウドプラットフォーム２００のみで構成されることができる。
【００５１】
このような構成により、前記機能モジュール１１１、１１３、１１５、１１７、１１９を用いて生成された情報、すなわち、各機能モジュールの動作と対応する信号が端末そのもの内で処理されるのではなく、前記クラウドサーバ１３０に伝達されて演算および格納される。すなわち、モバイル端末に含まれる機能モジュールから得られた情報がクラウドサーバに伝達（例えば、ｒｅｄｉｒｅｃｔｉｏｎ）され、演算を行う構成（例えば、ＣＰＵ、ＧＰＵ、ＲＡＭなど）はクラウドサーバ１３０に位置した高性能ハードウェアで実現されることによって、低い仕様のモバイル端末を使用しても高セキュリティー性と高性能の実現が可能である。
【００５２】
前記機能モジュール１１１、１１３、１１５、１１７、１１９から得られたた情報、すなわち、ユーザが前記機能モジュールを用いることによって生成された信号は、前記モバイル端末に備えられたモバイルクラウドプラットフォーム２００を介してクラウドサーバ１３０に伝達（ｒｅｄｉｒｅｃｔｉｏｎ）されることができる。また、前記モバイルクラウドプラットフォーム２００は、クラウドサーバ１３０からクラウドアプリケーションなどの提供を受けてクラウドサービスを実行するようにする役割をすることもできる。この場合、前記クラウドアプリケーションは、モバイルクラウドプラットフォーム２００によって駆動される各種のクラウドアプリケーションを意味する。
【００５３】
図２には示されていないが、前記モバイル端末１１０＿ｎは、前記モバイルクラウドプラットフォーム２００が動作するようにする基本的なプロセッサ（図示せず）およびストレージ（図示せず）を含むことができる。
【００５４】
図３は、図２に示されたモバイルクラウドプラットフォームの構成の一実施形態を示すブロック図である。
【００５５】
図３を参照すれば、本発明の実施形態によるモバイルクラウドプラットフォーム２００は、ネットワーク接続部２１０、クラウドサービス連動部２２０、およびセキュリティーおよび認証情報管理部２３０を含むことができる。
【００５６】
ネットワーク接続部２１０は、移動通信網、無線ＬＡＮなどで実現される無線通信網への接続およびクラウドサーバ１３０への接続を実行し、クラウドサービスを提供するためにモバイル端末１１０およびクラウドサーバ１３０間に形成されたチャネルを維持および管理する。
【００５７】
クラウドサービス連動部２２０は、モバイルクラウドプラットフォーム２００が駆動されれば、ネットワーク接続部２１０を介してクラウドサーバ１３０と接続した後、クラウドサービスを提供する。
【００５８】
前記クラウドサービスは、前記モバイル端末の機能モジュール１１１、１１３、１１５、１１７、１１９を用いて生成された情報、すなわち、各機能モジュールの動作と対応する信号がクラウドサーバ１３０に伝達されて演算および格納される動作を含み、その他にもクラウドサーバ１３０からクラウドアプリケーションなどの提供を受けて実行することも含む。
【００５９】
セキュリティーおよび認証情報管理部２３０は、前記モバイル端末１１０の認証情報を管理する。この場合、前記認証情報は、各モバイル端末を使用するユーザ別に割り当てられたＭＡＣ  ａｄｄｒｅｓｓ、ＣＰＵ  ＩＤ、ＩＭＥＩなどのハードウェア情報を活用することができる。すなわち、前記クラウドサービスを要求する場合ごとにハードウェア情報を活用してハードウェアを割り当てる方式で認証を行うため、既存とは異なり、物理的ハードウェアリソースを効率的に使用することができる。なお、ＣＰＵ  ＩＤは中央処理処置（ＣＰＵ）の識別情報である。
【００６０】
図４は、図１に示されたクラウドサーバの構成の一実施形態を示すブロック図である。
【００６１】
図４を参照すれば、本発明の実施形態によるクラウドサーバ１３０は、共通サービス領域であるリードオンリー（ｒｅａｄ  ｏｎｌｙ）ファイルシステム３１０、ユーザの個人サービス領域であるリード／ライト（ｒｅａｄ／ｗｒｉｔｅ）ファイルシステム３２０、および前記ファイルシステム３１０、３２０の動作を制御する制御部３３０を含んで構成される。
【００６２】
ここで、前記リードオンリー（ｒｅａｄ  ｏｎｌｙ）ファイルシステム３１０は、ファイルシステム内に格納されたデータおよび機器がユーザの操作によって変更されないシステムであり、前記リード／ライト（ｒｅａｄ／ｗｒｉｔｅ）ファイルシステム３２０は、個別ユーザによって読み取りおよび記録、格納が可能なファイルシステムである。
【００６３】
リードオンリー（ｒｅａｄ  ｏｎｌｙ）ファイルシステム３１０は、前記クラウドサーバ１３０に接続する全てのモバイル端末１１０に共通で同一に反映されるサービス領域である。これにより、前記リードオンリー（ｒｅａｄ  ｏｎｌｙ）ファイルシステム３１０は、共用アプリケーション３１１、共用データベース（ＤＢ）３１３、共用メモリ３１５、ファームウェア３１７、オペレーティングシステム（ＯＳ）３１９を含んで構成されることができる。
【００６４】
前記共用アプリケーション３１１は全てのモバイル端末１１０が同一に基本的に使用するアプリケーションを意味し、これと同様に、共用データベース（ＤＢ）３１３、共用メモリ３１５もモバイル端末１１０に同一に反映される情報を格納する役割をする。
【００６５】
すなわち、モバイル端末１１０において共に使用することができるため、格納空間、すなわち共用メモリ３１５は前記端末の個数だけ節約することができる。
【００６６】
また、前記リードオンリー（ｒｅａｄ  ｏｎｌｙ）ファイルシステム３１０のオペレーティングシステム３１９およびファームウェア３１７は、前記クラウドサーバ１３０に接続される全てのモバイル端末１１０が同一に活用することができる。前記ファームウェア３１７が共通サービス領域であるリードオンリー（ｒｅａｄ  ｏｎｌｙ）ファイルシステム３１０に含まれているため、一度のファームウェアアップグレードによって全てのモバイル端末１１０が同一にファームウェアをアップグレードしたことのような効果を得ることができる。
【００６７】
リード／ライト（ｒｅａｄ／ｗｒｉｔｅ）ファイルシステム３２０は、前記クラウドサーバ１３０に接続するモバイル端末１１０＿１、１１０＿２、…、１１０＿ｎの各々に個別的に反映されるサービス領域である。これにより、前記リード／ライト（ｒｅａｄ／ｗｒｉｔｅ）ファイルシステム３２０は、ユーザ別アプリケーション３２２、ユーザ別データベース（ＤＢ）３２４、ユーザ別メモリ３２６を含んで構成されることができる。
【００６８】
前記ユーザ別アプリケーション３２２は、それぞれのモバイル端末１１０において、該当のモバイル端末のユーザによって独立的に設置／実行するアプリケーションを意味し、これと同様に、ユーザ別データベース（ＤＢ）３２４、ユーザ別メモリ３２６も、該当のモバイル端末のユーザに従属した情報が独立的に格納／管理されることができる。
【００６９】
これにより、ユーザがリード／ライト（ｒｅａｄ／ｗｒｉｔｅ）ファイルシステム３２０に設置および格納したアプリケーションおよびデータは、セキュリティーソリューションが適用された独立した格納空間、すなわち、ユーザ別メモリ３２６において暗号化、バックアップ、二重化処理されることができる。
【００７０】
また、前記制御部３３０は、クラウドサーバ１３０に接続されたモバイル端末１１０における要求が前記リードオンリー（ｒｅａｄ  ｏｎｌｙ）ファイルシステム３１０で処理しなければならないことであるかまたはリード／ライト（ｒｅａｄ／ｗｒｉｔｅ）ファイルシステム３２０で処理しなければならないことであるかを判断し、該当のファイルシステムと接続させる役割をすることができる。
【００７１】
前記制御部３３０は、モバイル端末１１０から伝達される機能モジュールの信号を処理できるプロセッサ３３２を含むことができる。前記プロセッサ３３２は、高性能の演算装置（例えば、ＣＰＵ、ＧＰＵ、ＲＡＭなど）を含み、基本的な算術、ロジックおよび入出力演算を行うことによって、コンピュータプログラムの命令を処理するように構成されることができる。これにより、モバイル端末１１０に含まれた機能モジュール１１１、１１３、１１５、１１７、１１９を用いて生成された情報が端末そのもの内で処理されるのではなく、前記クラウドサーバ１３０に伝達されて演算されることができる。
【００７２】
また、これらの情報は、その性格に応じて、リードオンリー（ｒｅａｄ  ｏｎｌｙ）ファイルシステム３１０の共用メモリ３１５に格納されるか、またはリード／ライト（ｒｅａｄ／ｗｒｉｔｅ）ファイルシステム３２０のユーザ別メモリ３２６に格納されることができる。
【００７３】
前記メモリ３１５、３２６は、コンピュータで読み取り可能な記録媒体であって、ＲＡＭ、ＲＯＭおよびディスクドライブのような非消滅性大容量記録装置を含むことができる。また、メモリ３１５、３２６には、オペレーティングシステムと少なくとも一つのプログラムコードが格納されることができる。このようなソフトウェア構成要素は、ドライブメカニズムを利用してメモリ３１５、３２６とは別途のコンピュータで読み取り可能な記録媒体からロードできる。このような別途のコンピュータで読み取り可能な記録媒体は、フロッピードライブ、ディスク、テープ、ＤＶＤ／ＣＤ−ＲＯＭドライブ、メモリカードなどの記録媒体を含むことができる。また、前記ソフトウェア構成要素は、通信モジュール（図示せず）を介してメモリ３１５、３２６にロードできる。
【００７４】
すなわち、本発明の実施形態によるクラウドサーバ１３０は、クラウドサービスを提供するにおいて、全てのモバイル端末１１０に同一に反映される共通サービスを提供する部分と、それぞれのモバイル端末１１０＿１、１１０＿２、…、１１０＿ｎ別に独立して反映される個人化サービスを提供する部分が分離して構成されることを特徴とし、このような構成上の特徴により、クラウドサーバの所定のハードウェアは特定ユーザに従属せずに共用で使用することができる。
【００７５】
本発明の実施形態によるモバイルクラウドシステム１００によれば、従来に比べて低い仕様のモバイル端末によっても既存と同様な使用性を提供することができる。すなわち、本発明の実施形態によるモバイル端末１１０は様々な機能モジュールを備え、前記機能モジュールから生成された信号がクラウドサーバ１３０の共通サービス領域であるリードオンリー（ｒｅａｄ  ｏｎｌｙ）ファイルシステム３１０に備えられた装置を介して演算、格納されるため、ユーザには既存のモバイル端末と同様な使用性が提供されるのである。
【００７６】
また、クラウドサービスの加入形態に応じてモバイル端末の仕様を選択することもできる。一例として、サービスの加入形態に応じてハードウェアの特性（例えば、機能モジュールの個数、性能）を差別化して様々な課金モデルを構築することができる。
【００７７】
また、ユーザ別情報（例えば、ユーザ別アプリケーション、データなど）をクラウドサーバ１３０のリード／ライト（ｒｅａｄ／ｗｒｉｔｅ）ファイルシステム３２０に格納するため、データバックアップ、復旧／復元に有利である。一例として、既存のモバイル端末の場合、ユーザがいちいちバックアップしなければならなかったが、本発明の実施形態によるモバイルクラウドシステム１００によれば、ユーザがモバイル端末１１０を紛失しても核心データは遠隔地であるクラウドサーバ１３０に格納されているため、データ流失の心配はない。また、モバイル端末の紛失時に申請によって容易にサービスを中止することができる。
【００７８】
なお、共用アプリケーション３１１を全てのモバイル端末１１０で同一に使用するため、アカウント別に使用制限があるアプリケーションを多数のユーザが共有することもできる。
【００７９】
また、本発明の実施形態によるモバイルクラウドシステム１００による場合、ユーザ別に機能を制限したり、統一した環境を提供したりしなければならない場合に管理および維持補修が容易である。
【００８０】
図５は、本発明の実施形態によるモバイルクラウドシステムの動作方法を示すフローチャートである。
【００８１】
図１〜図５を参照すれば、先ず、モバイル端末１１０の電源がオンになれば、モバイル端末のブートが始まる（ＳＴ５１０）。
【００８２】
その後、前記モバイル端末１１０がネットワーク接続部２１０を介してクラウドサーバ１３０と接続される前にクラウドサービスを受けることができるか否かに対するサービス認証が行われる（ＳＴ５２０）。一例として、前記サービス認証は、前記ブートが行われることを通じてモバイル端末を使用するユーザ別に割り当てられたＭＡＣ  ａｄｄｒｅｓｓ、ＣＰＵ  ＩＤ、ＩＭＥＩなどのハードウェア情報を活用することができる。すなわち、前記クラウドサービスを要求する場合ごとに前記ハードウェア情報を活用してハードウェアを割り当てる方式で認証を行うことができる。
【００８３】
その後、モバイル端末１１０に対する認証が完了すれば、モバイル端末１１０内に設置されたモバイルクラウドプラットフォーム２００が駆動されてクラウドサービスの提供を受ける（ＳＴ５３０）。すなわち、前記モバイル端末１１０においてクラウドサービスが活性化される。
【００８４】
前記クラウドサービスは、前記モバイル端末の機能モジュール１１１、１１３、１１５、１１７、１１９を用いて生成された情報、すなわち、各機能モジュールの動作と対応する信号がクラウドサーバ１３０に伝達されて演算および格納される動作を含む。
【００８５】
すなわち、前記モバイルクラウドプラットフォーム２００が駆動されて前記モバイル端末１１０がクラウドサービスの提供を受ければ、前記モバイル端末１１０は、クラウドサーバ１３０のリードオンリー（ｒｅａｄ  ｏｎｌｙ）ファイルシステム３１０に格納されたオペレーティングシステム３１９を用いて端末内に設置された機能モジュールを活性化してそれぞれの機能を実現することができる。そこで、前記機能モジュール１１１、１１３、１１５、１１７、１１９から得られた情報、すなわち、ユーザが前記機能モジュールを用いることによって生成された信号は、前記モバイル端末１１０に備えられたモバイルクラウドプラットフォーム２００を介してクラウドサーバ１３０に伝達（ｒｅｄｉｒｅｃｔｉｏｎ）される（ＳＴ５４０）。
【００８６】
次に、前記伝達された機能モジュールの出力信号はクラウドサーバ１３０内で処理、すなわち演算されて格納される（ＳＴ５５０）。
【００８７】
より具体的には、前記クラウドサーバ１３０に備えられた制御部３３０内のプロセッサを介して機能モジュールの出力信号が処理されることができる。前記プロセッサは、高性能の演算装置（例えば、ＣＰＵ、ＧＰＵ、ＲＡＭなど）を含むことができる。
【００８８】
また、前記機能モジュールの出力信号が共用サービス領域に該当する情報であれば、リードオンリー（ｒｅａｄ  ｏｎｌｙ）ファイルシステム３１０の共用メモリ３１５に格納され、個人化サービス領域に該当する情報であれば、リード／ライト（ｒｅａｄ／ｗｒｉｔｅ）ファイルシステム３２０のユーザ別メモリ３２６に格納されることができる。
【００８９】
以上のように、本発明は具体的な構成要素などのような特定事項と限定された実施形態および図面によって説明されたが、これは本発明のより全般的な理解を助けるために提供されるものに過ぎず、本発明は前記実施形態に限定されず、本発明が属する技術分野で通常的な知識を有した者であれば、このような記載から様々な修正および変形が可能である。
【００９０】
したがって、本発明の思想は説明された実施形態に限定されて定められてはならず、後述する特許請求の範囲だけでなく、この特許請求の範囲と均等または等価的な変形のある全てのものは本発明の思想の範疇に属すると言える。
【符号の説明】
【００９１】
１００  ・・・モバイルクラウドシステム
１１０  ・・・モバイル端末
１２０  ・・・無線通信網
１３０  ・・・クラウドサーバ
２００  ・・・モバイルクラウドプラットフォーム
３１０  ・・・リードオンリーファイルシステム
３２０  ・・・リード／ライトファイルシステム
３３０  ・・・制御部
【図１】
2018195304.tif 000003
【図２】
2018195304.tif 000004
【図３】
2018195304.tif 000005
【図４】
2018195304.tif 000006
【図５】
2018195304.tif 000007